(57)【要約】【課題】吸着剤の再生を効率よく行うことができると共に小型化を図り易い除湿乾燥機を得ること。【解決手段】除湿乾燥機７０Ａを構成するにあたり、室内の空気を循環用送風機２５により吸い込んで室内に再び吹き出す循環用風路ＦＰ1と、他室の空気を排気用送風機５５により吸い込んで排気口５ａから外部に排気する排気用風路ＦＰ2とを設け、循環用風路での吹出口の上流側には加熱器を配置して該加熱器に吸着剤を担持させ、循環用風路での吹出口の外側には該循環用風路を開閉することができる循環用風路開閉部４０Ａを設け、循環用風路と排気用風路との間に風路仕切部５０を設けて該風路仕切部の通風口開閉部４７により互いに連通、分離可能にし、吸着剤を再生させるときには、加熱器により吸着剤を加熱することで該吸着剤から水分を脱着させ、該脱着した水分は、循環用風路開閉部を閉にすると共に通風口開閉部を開にして排気口から排出可能にする。【選択図】        図４
2010270934.tif 000002
【特許請求の範囲】
【請求項１】
室内の空気を吸い込むための室内空気吸込口および吸い込んだ室内空気を前記室内に吹き出すための室内空気吹出口を有する循環用風路と、
他室の空気を吸い込むための他室空気吸込口および吸い込んだ他室の空気を排気するための排気口を有する排気用風路と、
前記循環用風路内に配置され、前記室内の空気を前記室内空気吸込口から前記循環用風路に吸い込んで前記室内空気吹出口から前記室内に吹き出させる循環用送風機と、
前記循環用風路での前記室内空気吹出口の上流側に配置された加熱器と、
該加熱器に担持された除湿用の吸着剤と、
前記室内空気吹出口に配置され、前記循環用風路を開閉することができる循環用風路開閉部と、
前記循環用風路と前記排気用風路とを互いに連通させる通風口、および該通風口を開閉して前記循環用風路と前記排気用風路とを互いに連通した状態と互いに分離した状態とに切り換える通風口開閉部が設けられた風路仕切部と、
前記排気用風路内に配置され、前記他室の空気を前記他室空気吸込口から前記排気用風路に吸い込んで前記排気口から外部に排出させる排気用送風機と、
前記循環用送風機、前記加熱器、前記循環風路開閉部、前記通風口開閉部、および前記排気用送風機の動作を制御する制御部と、
を備え、
前記制御部は、前記室内を除湿するときには、前記循環用風路開閉部を開にすると共に前記風路仕切部の通風口開閉部を閉にして前記循環用送風機を動作させ、前記吸着剤から水分を脱着させて該吸着剤を再生させるときには、前記加熱器を動作させ、
前記吸着剤の再生により該吸着剤から脱着した水分は、前記制御部により前記循環用風路開閉部を閉にすると共に前記風路仕切部の通風口開閉部を開にして前記排気用送風機を動作させることで、前記排気口から外部に排出可能であることを特徴とする除湿乾燥機。
【請求項２】
前記制御部は、前記吸着剤を再生させるときに、前記循環用風路開閉部を閉にすることを特徴とする請求項１に記載の除湿乾燥機。
【請求項３】
前記制御部は、前記吸着剤を再生させるときに、前記循環用送風機および前記排気用送風機の各々を停止状態にすることを特徴とする請求項１または２に記載の除湿乾燥機。
【請求項４】
前記制御部により前記循環用風路開閉部を開にして前記循環用送風機と前記加熱器とを動作させることで、前記加熱器で生じた熱を室内に投入して該室内の暖房または乾燥を行うことができることを特徴とする請求項１〜３のいずれか１つに記載の除湿乾燥機。
【請求項５】
前記制御部により前記循環用風路開閉部を閉にすると共に前記風路仕切部の通風口開閉部を開にして前記排気用送風機を動作させることで、前記室内の換気と前記他室内の換気とを一時に行うことができることを特徴とする請求項１〜４のいずれか１つに記載の除湿乾燥機。
【請求項６】
前記室内を除湿するときに前記制御部により前記排気用送風機を動作させることで、前記室内の除湿と前記他室の換気とを同時に行うことができることを特徴とする請求項１〜５のいずれか１つに記載の除湿乾燥機。
【請求項７】
前記制御部は、前記室内の除湿のための制御と、前記吸着剤の再生および該吸着剤から脱着した水分の排出のための制御とを交互に行うことを特徴とする請求項１〜６のいずれか１つに記載の除湿乾燥機。
【請求項８】
前記吸着剤はシリカゲルまたはゼオライトであることを特徴とする請求項１〜７のいずれか１つに記載の除湿乾燥機。
【請求項９】
前記加熱器の上方に、前記吸着剤から脱着した水分が滞留可能な空間が形成されていることを特徴とする請求項１〜８のいずれか１つに記載の除湿乾燥機。
【請求項１０】
前記加熱器の温度を検知する温度センサを更に備え、
前記制御部は、前記温度センサの検知温度に応じて前記加熱器への投入電力量を制御することを特徴とする請求項１〜９のいずれか１つに記載の除湿乾燥機。
【請求項１１】
前記加熱器はＰＴＣヒータであることを特徴とする請求項１〜１０のいずれか１つに記載の除湿乾燥機。
【請求項１２】
前記室内空気吸込口の近傍に配置されて前記室内の空気の状態を検知するセンシング部を更に備え、
前記制御部は、前記室内を除湿するときの前記循環用送風機の動作内容と、前記吸着剤を再生させるときの前記加熱器および前記排気用送風機の動作内容との少なくとも一方を前記センシング部の検知結果に応じて選定し、該選定した動作内容に従って前記循環用送風機、前記加熱器、または前記排気用送風機の動作を制御することを特徴とする請求項１〜１１のいずれか１つに記載の除湿乾燥機。
【請求項１３】
前記センシング部は、湿度センサおよび温度センサの少なくとも一方であることを特徴とする請求項１２に記載の除湿乾燥機。
【請求項１４】
前記循環用風路開閉部は電動式のルーバであり、
前記制御部は、前記ルーバの動作を制御して該ルーバの開度を調整することで前記循環用風路からの室内空気の吹出し方向を制御することを特徴とする請求項１〜１３のいずれか１つに記載の除湿乾燥機。
【請求項１５】
前記ルーバは、並列配置された複数枚の第１羽板と、並列配置された複数枚の第２羽板とを有し、平面視したときに前記第１羽板と前記第２羽板とが互いに交差することを特徴とする請求項１４に記載の除湿乾燥機。
【請求項１６】
前記循環用風路に連通する多湿空気吹出口と、
前記循環用風路と前記多湿空気吹出口との間に配置されて、前記循環用風路と前記多湿空気吹出口とを連通または分離させる多湿空気用ダンパと、
を更に備え、
前記制御部は、前記吸着剤の再生により該吸着剤から脱着した水分を含む多湿空気を排出するときに前記多湿空気用ダンパの開閉を制御して、前記多湿空気を前記排気用風路および前記多湿空気吹出口の少なくとも一方に流入させることを特徴とする請求項１〜１５のいずれか１つに記載の除湿乾燥機。
【発明の詳細な説明】
【技術分野】
【０００１】
この発明は、室内の空気の除湿、乾燥を行う除湿乾燥機に関する。
【背景技術】
【０００２】
従来より、吸着剤を用いた除湿乾燥機が提案されている。例えば特許文献１には、ゼオライトやシリカゲル等の吸着剤（吸湿性材料）を担持したセラミックペーパを用いて構成された除湿ロータを備えると共に、浴室内の空気を吸い込んで除湿ロータ経由で浴室内に戻す循環風路と、浴室内の空気を吸い込んで再生ヒータおよび除湿ロータ経由で浴室外に排出する再生風路とを備えた除湿乾燥機（除湿機能付浴室暖房乾燥機）が記載されている。この除湿乾燥機では、循環風路および再生風路の各々を横断するようにして除湿ロータが配置されているので、浴室内の空気を上記の循環風路に流すことによる浴室内の除湿と、再生風路に吸い込まれた空気を再生ヒータにより加熱してから除湿ロータに送ることによる吸着剤の再生とを一時に行うことができる。
【０００３】
また、特許文献２には、吸着剤を担持した２つの熱交換器を用いて冷媒回路を構成すると共に該冷媒回路での冷媒の循環方向を反転可能に構成し、冷媒の循環方向を反転させることで上記２つの熱交換器の各々を交互に蒸発器、凝縮器として機能させ、蒸発器側で室内の除湿が行われ、凝縮器側で室外空気への水分の移動が行われるように空気の流通経路を切り換える除湿乾燥機（調湿装置）が記載されている。この除湿乾燥機では、上記の冷媒回路がケーシング内に配置される。
【先行技術文献】
【特許文献】
【０００４】
【特許文献１】特許第３８０４８６６号公報
【特許文献２】特許第３８１５４８５号公報
【発明の概要】
【発明が解決しようとする課題】
【０００５】
しかしながら、特許文献１に記載された除湿乾燥機におけるように、吸着剤を再生するための再生ヒータと除湿ロータとを別々に有する除湿乾燥機では、部品点数を低減させ難い。また、循環風路および再生風路の各々を横断するようにして除湿ロータを配置すると、除湿ロータにより除湿された空気と吸着剤の再生により多湿になった空気とが混合しないように２つの風路を区分するためのシール構造が複雑になることから、装置の小型化を図り難い。さらには、再生ヒータで加熱した空気を除湿ロータに送って吸着剤を再生することから、再生ヒータで生じた熱エネルギーの一部しか吸着剤の再生に利用されず、エネルギーの無駄が多い。
【０００６】
また、吸着剤を担持した２つの熱交換器を用いて冷媒回路を構成し、これら２つの熱交換器の各々を交互に蒸発器、凝縮器として機能させる特許文献２の除湿乾燥機では、構造が複雑であるために装置の小型化を図り難い。また、熱交換器に担持された吸着剤は、当該熱交換器が凝縮器として機能しているときに再生されるものの、再生時の温度が最高でも６０℃程度であるため、吸着剤に吸着した水分を十分に脱着させることが困難であり、吸着剤の再生効率が低い。
【０００７】
この発明は上記の事情に鑑みてなされたものであり、吸着剤の再生を効率よく行うことができると共に小型化を図り易い除湿乾燥機を得ることを目的とする。
【課題を解決するための手段】
【０００８】
この発明の除湿乾燥機は、室内の空気を吸い込むための室内空気吸込口および吸い込んだ室内空気を上記の室内に吹き出すための室内空気吹出口を有する循環用風路と、他室の空気を吸い込むための他室空気吸込口および吸い込んだ他室の空気を排気するための排気口を有する排気用風路と、循環用風路内に配置され、室内の空気を室内空気吸込口から循環用風路に吸い込んで室内空気吹出口から室内に吹き出させる循環用送風機と、循環用風路での室内空気吹出口の上流側に配置された加熱器と、加熱器に担持された除湿用の吸着剤と、室内空気吹出口に配置され、循環用風路を開閉することができる循環用風路開閉部と、循環用風路と排気用風路とを互いに連通させる通風口、および該通風口を開閉して循環用風路と排気用風路とを互いに連通した状態と互いに分離した状態とに切り換える通風口開閉部が設けられた風路仕切部と、排気用風路内に配置され、他室の空気を他室空気吸込口から排気用風路に吸い込んで排気口から外部に排出させる排気用送風機と、循環用送風機、加熱器、循環風路開閉部、通風口開閉部、および排気用送風機の動作を制御する制御部とを備え、制御部は、室内を除湿するときには、循環用風路開閉部を開にすると共に風路仕切部の通風口開閉部を閉にして循環用送風機を動作させ、吸着剤から水分を脱着させて該吸着剤を再生させるときには、加熱器を動作させ、吸着剤の再生により該吸着剤から脱着した水分は、制御部により循環用風路開閉部を閉にすると共に風路仕切部の通風口開閉部を開にして排気用送風機を動作させることで、排気口から外部に排出可能であることを特徴とする。
【発明の効果】
【０００９】
この発明の除湿乾燥機では、加熱器に吸着剤を担持させているので、加熱器で生じた熱エネルギーの多くを吸着剤の再生に利用することができる。また、吸着剤を担持させるための部品を加熱器とは別に設ける場合に比べて部品点数が低減される。さらには、吸着剤による水分の吸着と吸着剤からの水分の脱着とを循環用風路内で行うので、循環用風路と排気用風路とを区分するためのシール構造を比較的単純にすることができる。したがって、この発明によれば、吸着剤の再生を効率よく行うことができると共に小型化を図り易い除湿乾燥機が得られる。
【図面の簡単な説明】
【００１０】
【図１】図１は、この発明の除湿乾燥機の一例を室内側から概略的に示す斜視図である。
【図２】図２は、図１に示した除湿乾燥機の内部を室内側から概略的に示す斜視図である。
【図３】図３は、図１に示した除湿乾燥機が再生運転を行っているときの状態を室内側から概略的に示す斜視図である。
【図４】図４は、図１に示した除湿乾燥機が再生運転を行っているときの内部の状態を室内側から概略的に示す斜視図である。
【図５】図５は、この発明の除湿乾燥機のうち、加熱器周辺での気流の発生を抑えた状態で吸着剤の再生を行うように構成されたものでの吸着剤再生時の状態の一例を示す模式図である。
【図６】図６は、この発明の除湿乾燥機のうち、加熱器周辺での気流の発生を抑えた状態で吸着剤の再生を行うように構成されたものでの吸着剤再生時時の状態の他の例を示す模式図である。
【図７】図７は、この発明の除湿乾燥機のうち、加熱器の温度を検知する温度センサを備えたものの一例を示す模式図である。
【図８】図８は、この発明の除湿乾燥機のうち、部屋の空気の状態を検知するセンシング部を備えたものの一例を室内側から概略的に示す斜視図である。
【図９】図９は、この発明の除湿乾燥機のうち、循環用風路からの空気の吹出し方向が可変に構成されたものの一例を室内側から概略的に示す斜視図である。
【図１０】図１０は、この発明の除湿乾燥機のうち、吸着剤を再生させることで生じた多湿空気を他室に供給可能に構成されたものの一例を室外側から概略的に示す斜視図である。
【図１１】図１１は、図１０に示した除湿乾燥機が多湿空気を排気するときの内部の状態を室外側から概略的に示す斜視図である。
【図１２】図１２は、図１０に示した除湿乾燥機が多湿空気を他室に供給するときの内部の状態を室外側から概略的に示す斜視図である。
【発明を実施するための形態】
【００１１】
以下、この発明の除湿乾燥機の実施の形態について、図面を参照して詳細に説明する。なお、この発明は以下に説明する実施の形態に限定されるものではない。
【００１２】
実施の形態１．
図１は、この発明の除湿乾燥機の一例を室内側から概略的に示す斜視図であり、図２は、図１に示した除湿乾燥機の内部を室内側から概略的に示す斜視図である。これらの図に示す除湿乾燥機７０Ａは建物内の所望の箇所、例えば浴室の天井部や壁に設置されて部屋の空気の除湿、乾燥を行うと共に、上記建物内の他の２つの部屋（他室）の換気を行う。
【００１３】
図示の除湿乾燥機７０Ａは、部屋の除湿、乾燥と換気とを行うために、筐体２０Ａ、循環用送風機２５、吸着剤（図示せず）を担持した加熱器３０、加熱器保持部３５、循環用風路開閉部４０Ａ、風路仕切部５０（図２参照）、排気用送風機５５（図２参照）、制御部６０Ａ、およびリモートコントローラ（図示せず）を備えている。以下、除湿乾燥機７０Ａの構成部材を個別に説明する。
【００１４】
上記の筐体２０Ａは、図１および図２での上端側（室内側）が開放された箱体１０Ａと、該箱体１０Ａでの開放端側に配置されて筐体２０Ａの内部を外部と区切る仕切板１５（図１参照）とを有しており、箱体１０Ａの側面には第１ダクト接続部１、第２ダクト接続部３、および第３ダクト接続部５が取り付けられている。第１ダクト接続部１は、除湿乾燥機７０Ａが設置される部屋（例えば浴室）とは異なる他の部屋（例えば洗面室）に連通するダクトに接続され、第２ダクト接続部３は、除湿乾燥機７０Ａが設置される部屋とは異なる更に他の部屋（例えば脱衣室や居室）用の換気ダクトに接続され、第３ダクト接続部５は排気ダクトに接続される。
【００１５】
第１ダクト接続部１には、箱体１０Ａの側面に設けられた通風口（図示せず）を通じて当該箱体１０Ａの内部に連通する第１他室空気吸込口１ａが形成されており、第２ダクト接続部３には、箱体１０Ａの側面に設けられた通風口（図示せず）を通じて当該箱体１０Ａの内部に連通する第２他室空気吸込口３ａが形成されている。また、第３ダクト接続部５には、箱体１０Ａの側面に設けられた通風口（図示せず）を通じて当該箱体１０Ａの内部に連通する排気口５ａが形成されている。
【００１６】
一方、筐体２０Ａを構成する仕切板１５には、筐体２０Ａ内に連通する室内空気吸込口１５ａと、加熱器３０を保持する加熱器保持部３５を箱体１０Ａから突出させるための保持部挿入口１５ｂとが設けられている。除湿乾燥機７０Ａは、室内空気吸込口１５ａが室内に開口するようにして、例えば部屋の天井部に設置される。
【００１７】
循環用送風機２５は、筐体２０Ａ内に配置されている。この循環用送風機２５は、室内空気吸込口１５ａに連通する吸込口２５ａを備えた片吸込式のシロッコファン送風機であり、その吹出口（図示せず）は加熱器３０側にある。また、当該循環用送風機２５の上面（図２での上面）は、仕切板１５の下面（図１での下面）に密着する。
【００１８】
加熱器３０は、例えば複数の発熱体を間隔をあけて配置したり、発熱体の周囲に複数の放熱フィンを設けたりすることで発熱体周囲、放熱フィン周囲に空気の流路を形成し、該流路に空気を通すことにより放熱するように構成された電気ヒータや、周囲に電気絶縁体、熱伝導体が配置された発熱体を金属パイプの中に収めた電気ヒータ等を用いて構成され、その表面にはシリカゲルやゼオライト等の吸着剤が担持されている。この加熱器３０は、筒状の加熱器保持部３５により保持されて、循環用送風機２５の吹出口の外側上方（図２での上方）に配置されている。加熱器３０の過加熱を抑えるという観点から、当該加熱器３０としては、ＰＴＣ（Positive  Temperature  Coefficient；自己温度制御性）ヒータを用いることが好ましい。なお、循環用送風機２５と加熱器３０は後述する循環用風路ＦＰ1（図２参照）内にあればよく、その順序は上記と逆となるように構成することも可能である。
【００１９】
循環用風路開閉部４０Ａは、加熱器３０での空気の吹出口、別言すれば、循環用風路ＦＰ1（図２参照）での室内空気吹出口に配置されて、当該室内空気吹出口を開閉する。図示の例では、並列配置された４枚の羽板４０ａを有する電動式のルーバにより循環用風路開閉部４０Ａが構成されている。
【００２０】
風路仕切部５０は、循環用送風機２５と排気用送風機５５との間に配置されて、循環用風路ＦＰ1と後述する排気用風路ＦＰ2（図２参照）とを互いに連通した状態と互いに分離した状態とに切り換える。そのために、図示の風路仕切部５０は、循環用送風機２５と排気用送風機５５との間に配置された隔壁部４３と、該隔壁部４３に形成された通風口４５と、例えば電動式のダンパを用いて構成されて通風口４５を開閉させる通風口開閉部４７とを有している。通風口開閉部４７によって通風口４５を開（以下、「通風口開閉部４７を開」という）にすることにより、循環用風路ＦＰ1と排気用風路ＦＰ2とが互いに連通し、通風口開閉部４７によって通風口４５を閉（以下、「通風口開閉部４７を閉」という）にすることにより、循環用風路ＦＰ1と排気用風路ＦＰ2とが互いに分離する。なお、図示の除湿乾燥機７０Ａでは、風路仕切部５０の上側（図２での上側）に上述の加熱器保持部３５が配置されているが、加熱器保持部３５の位置は、風路仕切部５０の上側に限らず、循環用風路ＦＰ1を流れる循環空気が加熱器３０を通過することができる位置であればよい。
【００２１】
前述した循環用風路開閉部４０Ａによって加熱器３０での空気の吹出口が開（以下、「循環用風路開閉部４０Ａが開」という）にされ、通風口開閉部４７によって通風口４５が閉にされているときに循環用送風機２５を動作させると、部屋の空気が室内空気吸込口１５ａおよび循環用送風機２５の吸込口２５ａを経て循環用送風機２５の内部に流入する。そして、循環用送風機２５の内部流路を通って加熱器３０側に吹き出し、加熱器３０での流路を通って室内（除湿乾燥機７０Ａが設置されている部屋）に吹き出す。このときの風路が循環用風路ＦＰ1である。循環用風路ＦＰ1での空気の流れ方向を図２中に白抜きの矢印で示す。
【００２２】
排気用送風機５５は、前述した循環用送風機２５と同様に片吸込式のシロッコファン送風機であり、循環用送風機２５に近接すると共に風路仕切部５０に隣接して筐体２０Ａ内に配置されている。この排気用送風機５５での吸込口５５ａは仕切板１５側にあって仕切板１５の下面（図１での下面）から離隔しており、当該排気用送風機５５の吹出口（図示せず）は排気口５ａに連通している。
【００２３】
前述した通風口開閉部４７が閉のときに当該排気用送風機５５を動作させると、第１他室空気吸込口１ａおよび第２他室空気吸込口３ａの各々から筐体２０Ａ内に他室の空気が吸い込まれ、排気用送風機５５の吸込口５５ａを通って排気用送風機５５の内部に流入する。そして、排気用送風機５５の内部流路を通って排気口５ａに吹き出され、該排気口５ａから外部に排気される。このときの風路が排気用風路ＦＰ2である。排気用風路ＦＰ2での空気の流れ方向を図２中に黒塗り矢印で示す。
【００２４】
制御部６０Ａは、図示を省略したリモートコントローラから入力された指令に応じて循環用送風機２５、加熱器３０、循環用風路開閉部４０Ａ、通風口開閉部４７、および排気用送風機５５の動作をそれぞれ別個に制御して、除湿乾燥機７０Ａに除湿運転や吸着剤の再生運転等を行わせる。
【００２５】
上記の除湿運転では、図２に示すように循環用風路開閉部４０Ａが開にされ、通風口開閉部４７が閉にされる。また、循環用送風機２５が起動される。加熱器３０へは通電されない。結果として、除湿乾燥機７０Ａが設置されている部屋の空気が室内空気吸込口１５ａから循環用風路ＦＰ1に流入し、加熱器３０に担持されている吸着剤に当該空気中の水分が吸着して除湿される。除湿後の空気は、加熱器３０から循環用風路開閉部４０Ａを経て上記の部屋に吹き出される。このとき、排気用送風機５５も起動すれば、除湿運転と併せて他室の換気運転も行うことができる。
【００２６】
一方、上記の再生運転では、図３および図４に示すように、循環用風路開閉部４０Ａによって加熱器３０での空気の吹出口が閉（以下、「循環用風路開閉部４０Ａが閉」という）にされる。また、図４に示すように、風口開閉部４７が開にされる。そして、加熱器３０への通電が開始されると共に排気用送風機５５が起動される。循環用送風機２５は、起動してもよいし起動しなくてもよい。
【００２７】
なお、図３は、図１に示した除湿乾燥機が再生運転を行っているときの状態を室内側から概略的に示す斜視図であり、図４は、図１に示した除湿乾燥機が再生運転を行っているときの内部の状態を室内側から概略的に示す斜視図である。図４中の白抜きの矢印は、循環用風路ＦＰ1から排気用風路ＦＰ2に流入する空気の流れ方向を示し、黒塗りの矢印は、排気用風路ＦＰ2での空気の流れ方向を示す。
【００２８】
循環用風路開閉部４０Ａを閉にし、通風口開閉部４７を開にして加熱器３０への通電が開始されると共に排気用送風機５５が起動される結果として、加熱器３０に担持されている吸着剤が当該加熱器３０により加熱されて該吸着剤から水分が脱着し、脱着した水分が循環用風路ＦＰ1から通風口４５（図４参照）を通って排気用風路ＦＰ2に流入して、排気口５ａから排気される。このとき、室内空気吸込口１５ａから循環用風路ＦＰ1に流入した空気も通風口４５から排気用風路ＦＰ2に流入して、排気口５ａから排気される。また、第１他室空気吸込口１ａおよび第２他室空気吸込口３ａの各々から排気用風路ＦＰ2に流入した他室の空気も、排気口５ａから排気される。したがって、再生運転時には除湿乾燥機７０Ａが設置されている部屋（自室）の換気と他室の換気とが自ずと行われる。自室の換気は、吸着剤の再生および水分の脱着に必要な少量の風量でしか行われないため、再生運転中に他室から自室に流入する空気の流入量は僅かであり、自室の湿度環境が大きく変化してしまうということが起こり難い。また、図示しないが、第１他室空気吸込口１ａおよび第２他室空気吸込口３ａの少なくとも一方に該他室空気吸込口の開閉が可能な開閉部を設け、他室の換気の有無を選択できるように構成してもよい。
【００２９】
再生運転時の加熱器３０の温度は、当該加熱器３０に担持された吸着剤の種類に応じて適宜選定可能である。例えば、吸着剤としてシリカゲルを用いた場合には、加熱器３０の温度を比較的低温（例えば６０℃〜１００℃程度）にして再生運転を行っても、当該シリカゲルから水分を十分に脱着させることができる。一方、吸着剤としてゼオライトを用いた場合、ゼオライトは室内や室内にある被乾燥物を乾燥させるのに適した吸着剤ではあるが、一旦吸着した水分を脱着させて再生させるためにはシリカゲルを再生させるときよりも高温に加熱することが必要であるので、再生運転時の加熱器３０の温度を比較的高温にすることが好ましい。
【００３０】
また、再生運転の実施時期も適宜選定可能である。例えば、除湿運転を長時間行って吸着剤の吸着能が大幅に低下してから再生運転を行ってもよいし、除湿運転を比較的短時間行って吸着剤の吸着能が未だ高いときに再生運転を行ってもよい。また、設置スペースが狭い等の理由から加熱器３０として大形のものを用いることができない場合には、小型の加熱器を用いてもよい。加熱器３０として小型のものを用いる場合には、該加熱器３０に担持可能な吸着剤の量も少なくなるため水分の吸着、除湿の速度が遅くなるが、除湿と再生とを短いサイクルで繰り返すことにより、時間はかかるものの所望の除湿量を確保することができるので、除湿乾燥機７０Ａの小型化を図り易くなる。再生運転に続いて行われる除湿運転時には、再生運転時に加熱器３０で生じた熱が送風により自室に投入され自室の温度が上昇するので、再生運転を比較的短い周期で繰り返し行うと、当該除湿乾燥機７０Ａを浴室乾燥機、室内の被乾燥物の乾燥機等として使用する場合に乾燥が効率よく行われることになる。
【００３１】
必要に応じて、加熱器３０を冷却するための冷却運転を再生運転に続けて行ってもよい。冷却運転は、前述の除湿運転と同様にして行うことができる。あるいは、循環用風路開閉部４０Ａを開にするという点、および加熱器３０を起動させないという点をそれぞれ除き、前述の再生運転と同様にして行うことができる。
【００３２】
上述のようにして除湿運転と吸着剤の再生運転とを行う除湿乾燥機７０Ａでは、吸着剤が加熱器３０に担持されているので、加熱器３０で生じた熱エネルギーの多くを吸着剤の再生に利用することができる。また、吸着剤を担持するための部品を加熱器３０とは別の部品とする場合に比べて部品点数が低減される。さらには、吸着剤による水分の吸着と吸着剤からの水分の脱着とを循環用風路ＦＰ1内で行い、吸着剤から脱着した水分は通風口４５から排気用風路ＦＰ2に流して排気口５ａから排出することができるので、循環用風路ＦＰ1と排気用風路ＦＰ2とを区分するためのシール構造、すなわち風路仕切部５０の構造を比較的単純にすることができる。したがって、除湿乾燥機７０Ａでは、吸着剤の再生を効率よく行うことができると共に小型化を図り易い。
【００３３】
吸着剤の再生の高効率化はエネルギー消費量の削減につながり、部品点数の低減は廃棄のために除湿乾燥機を分解する際の作業性、および分解した後に材料を分別する際の作業性の向上につながる。また、除湿乾燥機の小型化は梱包時の包装の減量化や、流通の際の輸送の効率化、廃棄時の回収および運搬性の向上、廃棄時の環境負荷の低減につながる。
【００３４】
なお、除湿乾燥機７０Ａには、該除湿乾燥機７０Ａが設置されている部屋（自室）の暖房運転、換気運転、乾燥運転、他室の換気運転等を行わせることもできる。自室の暖房運転は、加熱器３０に通電するという点を除き、上述した除湿運転と同様にして行われる。自室の換気運転は、加熱器３０に通電しないという点を除き、上述した再生運転と同様にして行われる。
【００３５】
また、自室の乾燥運転は、循環用風路開閉部４０Ａを開にするという点を除き、上述した再生運転と同様にして行われる。例えば、除湿乾燥機７０Ａを浴室に設置して乾燥運転を行わせれば、温風を吹き出しながら換気を行って浴室や衣類の乾燥を行う従来型の温風乾燥機として当該除湿乾燥機７０Ａを利用することもできる。自室とは異なる他の部屋（他室）の換気運転は、排気送風機５５のみを起動させるという点を除き、前述した除湿運転と同様にして行うことができる。勿論、他室の換気運転を行うにあたっては、循環用風路開閉部４０Ａは開であってもよいし閉であってもよい。
【００３６】
実施の形態２．
この発明の除湿乾燥機は、加熱器周辺での気流の発生を抑えた状態で吸着剤の再生を行うように構成してもよい。このような除湿乾燥機は、例えば、吸着剤の再生時における制御部の制御内容を変える以外は実施の形態１で説明した除湿乾燥機７０Ａ（図１〜図４参照）と同様にして構成することができる。
【００３７】
図５は、加熱器周辺での気流の発生を抑えた状態で吸着剤の再生を行うように構成された除湿乾燥機での吸着剤再生時の状態の一例を示す模式図である。同図に示す除湿乾燥機７０Ｂは、循環用風路開閉部４０Ａを閉にし、通風口開閉部４７を開にし、循環用送風機２５および排気用送風機５５の各々を停止させた状態で吸着剤の再生を行う。このため、吸着剤の再生を行っている間は、加熱器３０周辺での気流の発生が抑えられる。この後、排気用送風機５５を起動させて、吸着剤の再生により生じた多湿空気を排気口（図示せず）から外部に排気する。
【００３８】
図６は、加熱器周辺での気流の発生を抑えた状態で吸着剤の再生を行うように構成された除湿乾燥機での吸着剤再生時の状態の他の例を示す模式図である。同図に示す除湿乾燥機７０Ｃは、循環用風路開閉部４０Ａおよび通風口開閉部４７の各々を閉にし、循環用送風機２５および排気用送風機５５の各々を停止させた状態で吸着剤の再生を行う。このため、吸着剤の再生を行っている間は、加熱器３０の温度上昇に伴う自然対流の発生も含めて、加熱器３０周辺での気流の発生が抑えられる。この後、通風口開閉部４７を開にすると共に排気用送風機５５を起動させて、吸着剤の再生により生じた多湿空気を排気口（図示せず）から外部に排気する。
【００３９】
なお、各除湿乾燥機７０Ｂ，７０Ｃは、吸着剤再生時における制御部の制御内容が異なるという点を除き、実施の形態１で説明した除湿乾燥機７０Ａと同じ構成を有しているので、図５または図６に示す各構成部材については図１〜図４で用いた参照符号と同じ参照符号を付してその説明を省略する。図５および図６での参照符号「Ｍ1」は循環用送風機２５のモータを示しており、参照符号「Ｆ1」は循環用送風機２５のシロッコファンを示しており、参照符号「Ｍ2」は排気用送風機５５のモータを示しており、参照符号「Ｆ2」は排気用送風機５５のシロッコファンを示している。また、参照符号「Ｖ」で示す波線の矢印は、吸着剤（図示せず）から脱着した水分による水蒸気を模式的に示しており、参照符号「Ｓ」は、吸着剤から脱着した水分が滞留可能な空間を示している。
【００４０】
上述のようにして加熱器３０周辺での気流の発生を抑えながら吸着剤の再生を行うと、放熱に起因する加熱器３０の温度低下が抑えられる。また、吸着剤から脱着した水分は、水蒸気となって加熱器３０の上方の空間Ｓ（図５および図６参照）に滞留するので、水蒸気が加熱器３０の近傍に滞留して吸着剤からの水分の脱着を妨げるということも起こり難い。
【００４１】
したがって、上述した各除湿乾燥機７０Ｂ，７０Ｃでは、加熱器３０への投入電力量を比較的少なくしても吸着剤を十分に加熱して該吸着剤から水分を脱着させることができる。吸着剤の再生を効率よく行うことができる。例えばゼオライトのように低湿度環境下でも高い吸着能を有する吸着剤を加熱器３０に担持させた場合、このような吸着剤を十分に再生させるためには高温での加熱が必要となるので、加熱器３０への投入電力量を比較的少なくしても吸着剤を十分に加熱することができる除湿乾燥機７０Ｂ，７０Ｃは、エネルギー消費量を削減するという観点から好適なものである。
【００４２】
また、循環用送風機２５および排気用送風機５５の各々を停止させた状態で吸着剤の再生を行うので、吸着剤の再生を行っている間は除湿乾燥機７０Ｂ，７０Ｃが設置されている部屋（自室）の換気が当該除湿乾燥機７０Ｂ，７０Ｃによっては行われない。このため、自室に室外の空気が流入して自室の湿度が上昇するということも再生運転中には起こり難く、再生運転と除湿運転とを繰り返し行うときには、比較的安定した条件下で除湿運転を行って自室の空気の除湿、乾燥を行うことができる。
【００４３】
なお、循環用風路開閉部４０Ａを開にし、通風口開閉部４７を閉にし、循環用送風機２５および排気用送風機５５の各々を停止させた状態で吸着剤の再生を行うこともできるし、循環用風路開閉部４０Ａおよび通風口開閉部４７の各々を開にし、循環用送風機２５および排気用送風機５５の各々を停止させた状態で吸着剤の再生を行うこともできる。また、吸着剤の再生の実施間隔を長く設定したり、加熱器３０に多量の吸着剤を担持させたりして１回の吸着剤再生時に比較的多量の水分が脱着されると予想される除湿乾燥機では、吸着剤の再生中に一時的に、あるいは吸着材の再生中常に通風口開閉部４７を開にしたり、また通風口開閉部４７を開にすると共に排気用送風機５５を起動させたりして、脱着した水分を含んだ多湿空気が排気口から外部に排気されるように構成してもよい。
【００４４】
実施の形態３．
この発明の除湿乾燥機では、加熱器の温度を温度センサで検知し、該検知温度に応じて加熱器３０への投入電力量を制御するように構成してもよい。このような除湿乾燥機は、上記温度センサの有無および再生運転時における制御部の制御内容（加熱器３０への投入電力量に係る制御）をそれぞれ除き、実施の形態１で説明した除湿乾燥機７０Ａ（図１〜図４参照）または実施の形態２で説明した除湿乾燥機７０Ｂ，７０Ｃ（図５または図６参照）と同様にして構成することができる。
【００４５】
図７は、加熱器の温度を検知する温度センサを備えた除湿乾燥機の一例を示す模式図である。同図に示す除湿乾燥機７０Ｄは、加熱器３０の温度を検知する温度センサ６３を有しており、再生運転時には、制御部（図示せず）が当該温度センサ６３の検知温度を監視して該検知温度に応じて加熱器３０への投入電力量を制御する。具体的には、温度センサ６３の検知温度が予め設定された温度（以下、「条件値」という）に達すると加熱器３０への投入電力量を少なくするか、または加熱器３０への通電を停止する。
【００４６】
この除湿乾燥機７０Ｄは、温度センサ６３の有無および再生運転時における制御部の制御内容をそれぞれ除き、実施の形態２で説明した除湿乾燥機７０Ｂ，７０Ｃと同じ構成を有しているので、図７に示す各構成部材については図５または図６で用いた参照符号と同じ参照符号を付してその説明を省略する。
【００４７】
加熱器３０への投入電力量を少なくするか、または加熱器３０への通電を停止する契機となる上記の条件値は、例えば吸着剤（図示せず）から水分を十分に脱着させることができる温度であり、加熱器３０に担持させた吸着剤の種類および量に応じて除湿乾燥機７０Ｄのメーカにより設定されて、例えば制御部中の記憶素子（図示せず）に予め格納される。制御部は、温度センサ６３の検知温度が上記の条件値以上になったときに加熱器３０への投入電力量を少なくして、加熱器３０の温度を予め定められた時間に亘って上記の条件値またはその近傍の温度に維持させるか、加熱器３０への投入電力量を漸次減少させて加熱器３０の温度を漸次低下させるか、または、加熱器３０への通電を停止して加熱器３０を自然冷却させる。
【００４８】
このように構成された除湿乾燥機７０Ｄでは、吸着剤の再生時に吸着剤を必要以上に加熱するということが抑えられるので、無駄なエネルギー消費が抑えられる。加熱器３０としては種々のタイプのものを用いることができるが、実施の形態１で説明したＰＴＣヒータを用いると当該加熱器３０の過加熱を防止して無駄なエネルギー消費を抑え易くなる。
【００４９】
実施の形態４．
この発明の除湿乾燥機では、該除湿乾燥機が設置されている部屋の空気の状態、具体的には湿度や温度を検知して、除湿運転および再生運転の少なくとも一方の運転条件を選定するように構成することができる。このように除湿乾燥機を構成する場合、上記空気の状態を検知するセンシング部が例えば室内空気吸込口の近傍に配置される。
【００５０】
図８は、部屋の空気の状態を検知するセンシング部を備えた除湿乾燥機の一例を室内側から概略的に示す斜視図である。同図に示す除湿乾燥機７０Ｅでは、該除湿乾燥機７０Ｅが設置されている部屋の湿度や温度を検知するためのセンシング部６５が仕切板１５での室内空気吸込口１５ａの側方に配置されており、制御部６０Ｅは、センシング部６５の検知結果に応じて除湿運転および再生運転の少なくとも一方の運転条件を選定して循環用送風機２５、加熱器３０、または排気用送風機（図示せず）の動作を制御する。
【００５１】
この除湿乾燥機７０Ｅの構成は、センシング部６３を有しているという点、ならびに除湿運転および再生運転の少なくとも一方を行うにあたって制御部６０Ｅがセンセンシング部６５の検知結果に応じて運転条件を選定するという点をそれぞれ除き、例えば実施の形態１〜３で説明した除湿乾燥機７０Ａ〜７０Ｄのいずれかと同じ構成とすることができる。図８に示した制御部６０Ｅおよびセンシング部６５をそれぞれ除いた残りの構成部材については、図１で用いた参照符号と同じ参照符号を付してその説明を省略する。
【００５２】
例えば、除湿乾燥機７０Ｅが設置されている部屋の湿度が高い場合には、加熱器３０に担持されている吸着剤（図示せず）での単位時間当たりの水分の吸着量が多くなるので、除湿運転の時間を短くしても吸着剤での水分の吸着量が多くなる。そして、吸着剤での水分の吸着量が多ければ、再生運転で吸着剤から水分を脱着させるのに要する熱エネルギーも多くなる。一方、除湿乾燥機７０Ｅが設置されている部屋の湿度が低い場合には、上記吸着剤での単位時間当たりの水分の吸着量が少なくなる。そして、吸着剤での水分の吸着量が少なければ、再生運転で吸着剤から水分を脱着させるのに要する熱エネルギーも少なくなる。
【００５３】
したがって、湿度センサにより上述のセンシング部６５を構成した場合、制御部６０Ｅは、予め定められた条件値以上の湿度（相対湿度）がセンシング部６５（湿度センサ）によって検知されると、センシング部６５の検知湿度が条件値未満であるときに比べて１回の除湿運転の継続時間に対する１回の再生運転の継続時間を相対的に長くするか、または再生運転時に加熱器３０に投入する電力量を多くする。
【００５４】
上記の条件値は、除湿乾燥機７０Ｅのメーカにより定められて、例えば制御部６０Ｅ中の記憶素子（図示せず）に予め格納される。この条件値は、１つのみであってもよいし、互いに異なる値の２つ以上であってもよい。また、センシング部６５の検知湿度が該条件値以上となったときの１回の除湿運転の継続時間、１回の再生運転の継続時間、再生運転時における加熱器３０への投入電力量等が除湿乾燥機７０Ｅのメーカにより条件値毎に定められ、これらをテーブル管理等の方法で管理するためのデータが上記の記憶素子に予め格納される。
【００５５】
制御部６０Ｅは、記憶素子に格納されている上記の条件値およびデータと、センシング部６５の検知結果とを用いて除湿運転および再生運転の少なくとも一方の運転条件、具体的には循環用送風機２５の動作内容、加熱器３０の動作内容、および排気用送風機の動作内容の少なくとも１つを選定し、該選定した運転条件（動作内容）に従って循環用送風機２５、加熱器３０、または排気用送風機の動作を制御する。センシング部６５の検知結果に応じて除湿運転および再生運転の一方のみの運転条件を制御部６０Ｅが選定するように除湿乾燥機７０Ｅを構成する場合には、他方の運転条件はセンシング部６５の検知結果に拘わらず、例えば除湿乾燥機７０Ｅのメーカが予め設定した運転条件となる。
【００５６】
制御部６０Ｅの制御の下に除湿運転と再生運転とを交互に行う場合は、温度センサによりセンシング部６５を構成することができる。この場合、再生運転後の除湿運転の際に加熱器３０の余熱が室内に投入されて室内の温度が被乾燥物の乾燥の度合いや湿度に応じて漸次上昇するので、センシング部６５（温度センサ）の検知結果に基づいて当該温度上昇の度合いを制御部６０Ｅが演算し、その結果に基づいて除湿運転および再生運転の少なくとも一方の運転条件を選定するように除湿乾燥機７０Ｅを構成することができる。
【００５７】
すなわち、上記温度上昇の度合いが条件値未満であれば室内の被乾燥物の乾燥度が低く、湿度が高いと考えられ、上記温度上昇の度合いが条件値以上であれば室内の被乾燥物の乾燥度が高く、湿度が低いと考えられるので、例えば湿度センサによりセンシング部６５を構成した場合と同様にして、センシング部６５（温度センサ）の検知結果に基づいて除湿運転および再生運転の少なくとも一方の運転条件を制御部６０Ｅが選定するように除湿乾燥機７０Ｅを構成することができる。なお、温度上昇の度合いに係る上記の条件値は、除湿乾燥機７０Ｅのメーカにより定められて、例えば制御部６０Ｅ中の記憶素子（図示せず）に予め格納される。この条件値は、１つのみであってもよいし、互いに異なる値の２つ以上であってもよい。
【００５８】
湿度センサと温度センサとによりセンシング部６５を構成した場合には、これらのセンサの検知結果から制御部６０Ｅが室内の絶対湿度を求め、該絶対湿度に応じて除湿運転および再生運転の少なくとも一方の運転条件を当該制御部６０Ｅが選定するように除湿乾燥機７０Ｅを構成することができる。この場合、湿度センサの検知結果と温度センサの検知結果とから絶対湿度を求めるためのデータが、例えば制御部６０Ｅ中の記憶素子（図示せず）に予め格納される。運転条件の選定は、湿度センサのみによりセンシング部６５を構成した場合と同様にして行うことができる。
【００５９】
上述のように構成された除湿乾燥機７０Ｅでは、該除湿乾燥機７０Ｅが設置されている部屋の空気の状態に応じて除湿運転および再生運転の少なくとも一方の運転条件を適切な条件にすることができるので、無駄なエネルギー消費を抑えることができる。相対湿度が同じ値であっても空気中の単位体積当たりの水分量は温度に応じて異なり、結果として吸着剤での水分の吸着量も変化するので、無駄なエネルギー消費を抑えるという観点からは、湿度センサと温度センサとによりセンシング部６５を構成し、これらのセンサの検知結果から求まる部屋の絶対湿度に応じて除湿運転および再生運転の少なくとも一方の運転条件を制御部６０Ｅが選定するように除湿乾燥機７０Ｅを構成することが好ましい。
【００６０】
実施の形態５．
この発明の除湿乾燥機では、循環用風路からの空気の吹出し方向を可変に構成することができる。例えば実施の形態１で説明した除湿乾燥機７０Ａにおけるように、並列配置された複数枚の羽板４０ａを有する電動式のルーバを用いて循環用風路開閉部４０Ａ（図１参照）を構成する場合には、羽板４０ａの開度を制御部によって連続的または段階的に変化させることができるよう構成することにより、循環用風路からの空気の吹出し方向が可変の除湿乾燥機が得られる。また、複数枚の羽板が縦横に配置された電動式のルーバを用いて循環用風路開閉部を構成することでも、循環用風路からの空気の吹出し方向が可変の除湿乾燥機が得られる。
【００６１】
図９は、循環用風路からの空気の吹出し方向が可変に構成された除湿乾燥機の一例を室内側から概略的に示す斜視図である。同図に示す除湿乾燥機７０Ｆは、図１に示した循環用風路開閉部４０Ａに代えて循環用風路開閉部４０Ｂを備えているという点を除き、図１に示した除湿乾燥機７０Ａと同様の構成を有している。図９に示す構成部材のうちで図１に示した構成部材と共通するものについては、図１で用いた参照符号と同じ参照符号を付してその説明を省略する。
【００６２】
上記の循環用風路開閉部４０Ｂは、並列配置された４枚の羽板４０ａと、平面視したときに羽板４０ａと交差する向き、具体的には直行する向きに並列配置された４枚の羽板４０ｂとを有する電動式のルーバを用いて構成されている。この循環用風路開閉部４０Ｂでは、制御部６０Ｆによる制御の下に各羽板４０ａの開度を連続的または段階的に制御可能であると共に、制御部６０Ｆによる制御の下に各羽板４０ｂの開度を連続的または段階的に制御可能である。したがって、除湿乾燥機７０Ｆでは、循環用風路からの空気の吹出し方向が可変である。
【００６３】
このように構成された除湿乾燥機７０Ｆでは、例えば当該除湿乾燥機７０Ｆが設置された部屋に被乾燥物があるときに循環用風路からの空気の吹出し方向を連続的または段階的に変化させることにより、除湿後の空気を被乾燥物に満遍なく当てて該被乾燥物に乾燥ムラが生じるのを抑えることが可能になる。
【００６４】
実施の形態６．
この発明の除湿乾燥機は、吸着剤から水分を脱着させて該吸着剤を再生させることで生じた多湿空気を他室に供給可能に構成することもできる。この場合、上記多湿空気の排気と他室への供給とをユーザがリモートコントローラ（図示せず）から選定可能に構成すると、その利便性が高まる。
【００６５】
図１０は、吸着剤から水分を脱着させて該吸着剤を再生させることで生じた多湿空気を他室に供給可能に構成された除湿乾燥機の一例を室外側から概略的に示す斜視図であり、図１１は、図１０に示した除湿乾燥機が多湿空気を排気するときの内部の状態を室外側から概略的に示す斜視図であり、図１２は、図１０に示した除湿乾燥機が多湿空気を他室に供給するときの内部の状態を室外側から概略的に示す斜視図である。
【００６６】
図１０〜図１２に示す除湿乾燥機７０Ｇは、図１および図２に示した筐体２０Ａに代えて筐体２０Ｂを備えているという点、筐体２０Ｂ内に多湿空気用ダンパ６７（図１１および図１２参照）が配置されているという点、および制御部６０Ａに代えて制御部６０Ｇを備えているという点をそれぞれ除き、図１および図２に示した除湿乾燥機７０Ａと同様の構成を有している。図１０〜図１２に示す構成部材のうちで図１または図２に示した構成と共通する構成部材については、図１または図２で用いた参照符号と同じ参照符号を付してその説明を省略する。
【００６７】
上記の筐体２０Ｂは、箱体１０Ｂと仕切板１５（図１１および図１２参照）とを有しており、箱体１０Ｂは、図１および図２に示した箱体１０Ａに第４ダクト接続部７を付加した構造を有している。第４ダクト接続部７は加熱器３０の近傍に位置しており、除湿乾燥機７０Ｇが設置される部屋とは異なる他の部屋用の給気ダクトに接続される。この第４ダクト接続部７には、箱体１０Ｂの側面に設けられた通風口１０ｄ（図１２参照）を通じて当該箱体１０Ｂ内の循環用風路ＦＰ1に連通する多湿空気吹出口７ａが形成されている。
【００６８】
また、多湿空気用ダンパ６７は、制御部６０Ｇの制御の下に動作して上記の通風口１０ｄを開閉して、循環用風路ＦＰ1と多湿空気吹出口７ａとを連通または分離させるものであり、箱体１０Ｂ内に配置されている。制御部６０Ｇは、リモートコントローラから入力された指令に応じて循環用送風機２５、加熱器３０、循環用風路開閉部４０Ａ、通風口開閉部４７、排気用送風機５５、および多湿空気用ダンパ６７の動作をそれぞれ別個に制御して、除湿乾燥機７０Ｇに除湿運転や吸着剤（図示せず）の再生運転等を行わせる。
【００６９】
図１１に示すように、再生運転時に吸着剤から水分が脱着することで生じる多湿空気を排気する場合には、通風口開閉部４７が開にされると共に通風口１０ｄが多湿空気用ダンパ６７により閉（以下、「多湿空気用ダンパ６７が閉」という）にされる。また、加熱器３０への通電が開始されると共に排気用送風機５５が起動される。吸着剤（図示せず）から水分が脱着することで生じた多湿空気は、通風口開閉部４７が開にされ、多湿空気用ダンパ６７が閉にされた状態で排気用送風機５５が起動されていることから、風路仕切部５０の通風口４５（図１１参照）を通って排気用風路ＦＰ2に流入して、排気口５ａから排気される。循環用送風機２５は、起動させてもよいし起動させなくてもよい。
【００７０】
また、再生運転時に吸着剤から水分が脱着することで生じる多湿空気を他室に供給する場合には、図１２に示すように、通風口開閉部４７が閉にされると共に通風口１０ｄが多湿空気用ダンパ６７により開（以下、「多湿空気用ダンパ６７が開」という）にされる。また、加熱器３０への通電が開始されると共に循環用送風機２５が起動される。吸着剤（図示せず）から水分が脱着することで生じた多湿空気は、通風口開閉部４７が閉にされ、多湿空気用ダンパ６７が開にされた状態で循環用送風機２５が起動されていることから、通風口１０ｄを通って多湿室内空気吹出口７ａに流入して、他室に供給される。排気用送風機５５は、起動させてもよいし起動させなくてもよい。多湿空気用ダンパ６７を全開および全閉のいずれかに制御する他に、例えば半開にも制御可能に除湿乾燥機７０Ｇを構成すると、多湿空気の排気と他室への供給を同時に行うことが可能になる。
【００７１】
なお、図１０〜図１２での参照符号「Ｍ1」は、循環用送風機２５のモータを示しており、参照符号「Ｍ2」は、排気用送風機５５のモータを示している。また、図１１および図１２での参照符号「１０ａ」は、箱体１０Ｂの側面に設けられて該箱体１０Ｂの内部と第１他室空気吸込口１ａとを連通させる通風口を示しており、参照符号「１０ｃ」は、箱体１０Ｂの側面に設けられて該箱体１０Ｂの内部と排気口５ａとを連通させる通風口を示している。
【００７２】
上述のように構成された除湿乾燥機７０Ｇでは、吸着剤から水分を脱着させることで生じた多湿空気を他室の加湿に利用することができるので、エネルギーを有効利用し易くなる。
【００７３】
以上、この発明の除湿乾燥機について実施の形態を挙げて説明したが、前述のように、この発明は上記の形態に限定されるものではない。例えば、実施の形態１〜６の各々で説明した除湿乾燥機は第１他室空気吸込口と第２他室空気吸込口とを有するものであるが、他室空気吸込口は１つとすることもできるし、３つ以上とすることもできる。
【００７４】
また、循環用風路と排気用風路とを互いに連通させるための通風口の位置は、加熱器の側方とすることもできるし、加熱器よりも循環用風路での上流側あるいは下流側とすることもできる。必要に応じて、除湿乾燥機が設置される部屋の換気を行うための専用の換気口と該換気口を開閉するためのダンパとを設け、該換気口から筐体内に流入した空気が排気用風路に直接流入するように除湿乾燥機を構成することもできる。この発明の除湿乾燥機については、上述した以外にも様々な変形、装飾、組み合わせ等が可能である。
【産業上の利用可能性】
【００７５】
この発明の除湿乾燥機は、室内の空気の除湿、乾燥を行う家庭用または業務用の除湿乾燥機として用いることができる。
【符号の説明】
【００７６】
１ａ  第１他室空気吸込口
３ａ  第２他室空気吸込口
５ａ  排気口
７ａ  多湿空気吹出口
１５ａ  室内空気吸込口
２５  循環用送風機
３０  加熱器
４０Ａ，４０Ｂ  循環用風路開閉部
４０ａ，４０ｂ  羽板
４３  隔壁部
４５  通風口
４７  通風口開閉部
５０  風路仕切部
５５  排気用送風機
６０Ａ，６０Ｅ，６０Ｆ，６０Ｇ  制御部
６３  温度センサ
６５  センシング部
６７  多湿空気用ダンパ
７０Ａ〜７０Ｇ  除湿乾燥機
ＦＰ1  循環用風路
ＦＰ2  排気用風路
Ｓ  吸着剤から脱着した水分が滞留可能な空間
【図１】
2010270934.tif 000003
【図２】
2010270934.tif 000004
【図３】
2010270934.tif 000005
【図４】
2010270934.tif 000006
【図５】
2010270934.tif 000007
【図６】
2010270934.tif 000008
【図７】
2010270934.tif 000009
【図８】
2010270934.tif 000010
【図９】
2010270934.tif 000011
【図１０】
2010270934.tif 000012
【図１１】
2010270934.tif 000013
【図１２】
2010270934.tif 000014